(57)【要約】      （修正有）【課題】つま先やかかと、土踏まずなど足部を保護し、塗布した薬剤の効果を維持する靴下の構造を提供する。【解決手段】靴下本体１０を備え、靴下本体１０の足の保護部位１１には 柔弾性ゴム層２０で覆い、保護部位１１として靴下のつま先部１１１、土踏まず部１１２または踵部１１３とすることができる。靴下本体１０を履いたとき、つま先部１１１は人体のつま先部分に対応し、土踏まず部１１２は人体の土踏まず部分に対応し、踵部１１３は人体の踵部分に対応する。 柔弾性ゴム層２０はこれらの部位の形状に合わせて形成され、擦過傷などを防止し、水虫などの塗布した薬剤の保持と足のこれらの部位の保護をする。【選択図】図２
0003112770.tif 000002
【実用新案登録請求の範囲】
【請求項１】
靴下本体において、足の保護すべき部位に対応して柔弾性ゴム層が覆設されていることを特徴とする靴下の構造。
【請求項２】
前記保護部位は、靴下本体のつま先部であることを特徴とする請求項１記載の靴下の構造。
【請求項３】
前記保護部位は、靴下本体の土踏まず部であることを特徴とする請求項１記載の靴下の構造。
【請求項４】
前記保護部位は、靴下本体の踵部であることを特徴とする請求項１記載の靴下の構造。
【請求項５】
前記保護部位が靴下本体の土踏まず部であるとき、前記柔弾性ゴム層の形状が人体の土踏まずの凹陥形状に合せて形成されていることを特徴とする請求項１記載の靴下の構造。
【考案の詳細な説明】
【技術分野】
【０００１】
本考案は、靴下の構造に関し、特に履き心地が快適で、足部を保護する効果を備える靴下の構造に関する。
【背景技術】
【０００２】
一般の靴下は布を縫製して製造され、靴下を履いて歩いたり、運動したりするとき、足部は靴下の布と摩擦するので、これらの繊維層が容易にほつれたり、すれたり、破れたりする。その他、靴下は単層の布で構成されているので、足部の振動を緩衝する作用を十分に提供することはできず、靴下の機能は履くことだけに限られる。また、足部が乾燥してひび割れたり、外傷や水虫に罹患している場合に靴下を履くと、乳液や薬品などを塗っても、靴下の布がそれらを吸収してしまい、効果が殆ど失われるので、伝統的な靴下は乳液や薬品などを適用しているときは履くことができない。
【０００３】
人間が二本の脚で立ったり、歩いたりするとき、主にアーチ型の土踏まずによって体をバランス良く支えるが、土踏まずは両方のバランスが取れている場合安定的に立つことができる。土踏まずには振動緩衝作用や弾力作用などを備え、衝撃力を吸収したり、重量を分散させたりでき、土踏まずによって立ったり、歩いたり、走ったりする動作を達成できる。人間が立っているとき、体の重量は全て両足の前端と後端に集中しているが、靭帯が硬すぎたり、骨格が変形したりして踵とつま先との間の土踏まずの弧度に異常があったりすると、踵の骨が内側に傾き、それが長期に渡る場合、靭帯や腱を損傷したり、足部が病気になったりする。特に一部の靴には設計上問題があり、そのような靴を履いた場合、足部への負担が増加する。例えばハイヒールなど、つま先が尖った靴などこれらの靴を履いた場合、体の重量を足裏で平均的に支えることができなくなり、足裏の前部が過度の力を受けてしまい、それが長期に渡ると土踏まずが発達せず、歩くとき、重心をスムーズに正確な位置に移動できなくなり、足部の活動が影響を受け、ついには脚部の発育にも影響を及ぼしたり、足部に病気をもたらしたりしてしまう。
【特許文献１】特開２００４−３３７５２９号公報
【特許文献２】特開２００５−４２２１３号公報
【考案の開示】
【考案が解決しようとする課題】
【０００４】
本考案の目的は、履き心地が快適で、足部を保護する効果を備える靴下の構造を提供することにある。
【課題を解決するための手段】
【０００５】
上記の課題を解決するために請求項１の考案は、靴下本体を備え、靴下本体の足を保護すべき部位には柔弾性ゴム層が覆設されていることを特徴とする靴下の構造である。
【０００６】
請求項２の考案は、保護部位は、靴下本体のつま先部であることを特徴とする請求項１記載の靴下の構造である。
【０００７】
請求項３の考案は、保護部位は、靴下本体の土踏まず部であることを特徴とする請求項１記載の靴下の構造である。
【０００８】
請求項４の考案は、保護部位は、靴下本体の踵部であることを特徴とする請求項１記載の靴下の構造である。
【０００９】
請求項５の考案は、保護部位が靴下本体の土踏まず部であるとき、柔弾性ゴム層の形状はちょうど人体の土踏まずの凹陥形状と等しいことを特徴とする請求項１記載の靴下の構造である。
【考案の効果】
【００１０】
本考案における靴下本体の保護部位に 柔弾性ゴム層を覆設した構造により、使用者が靴下を履いたとき、履き心地が快適で、さらに足部を保護することができ、従来技術のものと比較して、確実に進歩性と実用性を高めることができた。
【考案を実施するための最良の形態】
【００１１】
図１、２に示すように、本実施形態は靴下本体１０を備えており、この靴下本体１０とは、一般の長靴下、短靴下、五本指靴下などの各種靴下であり、靴下本体１０の保護部位１１には 柔弾性ゴム層２０が覆設されており、保護部位１１は靴下本体１０のつま先部１１１、土踏まず部１１２または踵部１１３とすることができる。靴下本体１０を履いたとき、つま先部１１１は人体のつま先部分に対応し、土踏まず部１１２は人体の土踏まず部分に対応し、踵部１１３は人体の踵部分に対応する。柔弾性ゴム層２０が土踏まず部１１２に覆設されているとき、柔弾性ゴム層２０の形状はちょうど人体の土踏まず部分の凹陥形状と等しい。
【００１２】
本実施形態は、主に靴下本体１０の保護部位１１に 柔弾性ゴム層２０が覆設されており、柔弾性ゴム層２０と靴下本体１０とから構成されている。先ず、靴下本体１０を器具で広げて靴下本体１０の表面繊維間に隙間を作り、加熱溶解した柔弾性ゴム層２０を保護部位１１に塗布する。 柔弾性ゴム層２０が冷却して固化した後、靴下本体を器具から取り外して完成する。当然、前述の柔弾性ゴム層２０を保護部位１１に覆設する方式は実施形態の中の一方式であり、その他、接着剤によって貼合する方式や高周波シールなどの方式によって柔弾性ゴム層２０を保護部位１１に覆設できる。
【００１３】
図３に示すように、上述の構造によって靴下本体１０の保護部位１１に柔弾性ゴム層２０が覆設されており、保護部位１１は靴下本体１０のつま先部１１１とすることができる。それにより、使用者が靴下本体１０を履いたとき、柔弾性ゴム層２０は人体のつま先部分に対応しており、使用者が靴下を履いて歩いたり、運動したりするとき、柔軟な柔弾性ゴム層２０はつま先部分を保護し、たこや擦過傷ができたり、症状が悪化したりするのを防ぐことができる。また、靴下本体２０のつま先部１１１がほつれたり、摩損するのを防ぐこともできる。その他、柔軟な柔弾性ゴム層２０はつま先部分に対して緩衝作用を与え、激しい運動をしているとき、 柔弾性ゴム層２０がつま先部分を保護する。また、使用者が擦過傷や疾病のあるつま先部分に乳液や薬品などを塗布した場合でも、靴下本体１０を履くことができ、つま先部１１１の柔弾性ゴム層２０の表面は塗布物を吸収せず保持することができ、空気中にこれらの微粒分子が揮発することを防止するので、乳液や薬品などはつま先部分から直接吸収され、使用者は靴下を履くことによって治療過程が中断されることがない。
【００１４】
図４、５に示すように、保護部位１１を靴下本体１０の土踏まず部１１２とすることができ、使用者が靴下本体１０を履いているとき、柔弾性ゴム層２０は人体の土踏まず部分に対応し、 柔弾性ゴム層２０は土踏まずの形状に合わせて凹陥形状にすることができ、足裏の前部、土踏まずおよび踵によって体の重量をバランス良く支えることができ、土踏まずの正常な作用に影響を与えることはなく、使用者が歩いたり、運動したりするとき、柔弾性ゴム層２０が保護を行う。
【００１５】
図６に示すように、保護部位１１を靴下本体１０の踵部１１３とすると、使用者が靴下本体１０を履いているとき、柔弾性ゴム層２０は人体の踵部分に対応し、使用者が歩いたり、運動したりするとき、柔弾性ゴム層２０が保護を行い、踵に対する摩擦を大幅に減少し、たこや擦過傷ができたり、その症状が悪化したりするのを防ぐことができる。さらに、靴下本体１０の踵部１１３がほつれたり、摩損したりするのを防ぐこともできる。その他、柔軟な柔弾性ゴム層２０は踵部分に対して緩衝作用を備え、使用者が激しい運動をしているときに、 柔弾性ゴム層２０が踵部分に対する衝撃から保護する。また、使用者が擦過傷や疾病のある踵部分に乳液や薬品などを塗布した場合でも、 柔弾性ゴム層２０に吸収されることがないので、靴下本体１０を履くことができ、靴下本体１０を履いたまま踵部分のケアができる。
【００１６】
以上の説明から分かるように、本実施形態は主に靴下本体１０の保護部位１１に柔弾性ゴム層２０を覆設した構造により、使用者が靴下を履いたとき、履き心地が快適で足部を保護することができ、従来技術のものと比較して、確実に進歩性と実用性を高めることができた。
【００１７】
上述の説明は本考案の好適な実施形態を示したものであり、本考案の構造に基づく同等効果を有する変更などはすべて本考案の請求の範囲に含まれる。
【図面の簡単な説明】
【００１８】
【図１】本考案による靴下を示す前面からの斜視図である。
【図２】本考案による靴下を示す背面からの斜視図である。
【図３】本考案による靴下の保護部位がつま先部分である場合の状態を示す側面図である。
【図４】本考案による靴下の保護部位が土踏まず部分である場合の状態を示す側面図である。
【図５】本考案による靴下の保護部位が土踏まず部分であり、ハイヒールを履いた場合の状態を示す側面図である。
【図６】本考案による靴下の保護部位がかかと部分である場合の状態を示す側面図である。
【符号の説明】
【００１９】
１０    靴下本体
１１    保護部位
１１１  つま先部
１１２  土踏まず部
１１３  踵部
２０    柔弾性ゴム層
【図１】
0003112770.tif 000003
【図２】
0003112770.tif 000004
【図３】
0003112770.tif 000005
【図４】
0003112770.tif 000006
【図５】
0003112770.tif 000007
【図６】
0003112770.tif 000008